(57)【要約】【課題】長期間にわたって無用植物の除草及び生育防止を図る。【解決手段】路上のすき間１００に生育する無用植物の除草及び生育防止であって、高圧洗浄機１０を用いてすき間１００を洗浄することによって無用植物及びそこに堆積している土砂を洗い出してすき間１００を露出させた後、露出したすき間１００にペースト状のコーキング材２０を充填する。また、コーキング材２０を充填する際、すき間１００の上部入口１００ａからコーキング材２０を充填しない空間領域Ｒを設ける。【選択図】図１
2019052504.tif 000002
【特許請求の範囲】
【請求項１】
路上のすき間に生育する無用植物の除草及び生育防止であって、
高圧洗浄機を用いて前記すき間を洗浄することによって無用植物及びそこに堆積している土砂を洗い出して前記すき間を露出させた後、露出したすき間にペースト状のコーキング材を充填することを特徴とする無用植物の除草及び生育防止。
【請求項２】
前記コーキング材を充填する際、前記すき間の上部入口から前記コーキング材を充填しない領域を設けたことを特徴とする請求項１に記載の無用植物の除草及び生育防止。
【請求項３】
前記コーキング材を充填しない領域を、前記すき間の上部入口から１０ｍｍ以下で設けたことを特徴とする請求項２に記載の無用植物の除草及び生育防止。
【請求項４】
前記すき間に充填されたコーキング材の表面に熱，紫外線及び乾燥による前記コーキング材の劣化を低減する塗膜を形成したことを特徴とする請求項２又は３に記載の無用植物の除草及び生育防止。
【発明の詳細な説明】
【技術分野】
【０００１】
本発明は、すき間に生える雑草などの無用植物の除草及び生育防止方法に関するものである。例えば、アスファルト舗装された道路（歩道を含む）と歩車道境界ブロック等のコンクリート二次製品とのすき間、或いは敷き詰められたブロック等の目地間のすき間、平面に打設されたコンクリート表面のひび割れなどのすき間に生育する無用植物の除草及び生育防止方法に関する。
【背景技術】
【０００２】
公道（国および各自治体が管理している歩車道路）では、夏季に合わせて年1〜2回程度の「除草作業」が行われている（「維持業務」ともいう）。これは主に中央分離帯（緑地帯）や舗装と歩車道境界ブロック等の間隙、コンクリート舗装の打継ぎ目などから生えている雑草の除去、いわゆる「草刈り作業」を表しているが、一般に市販されている草刈機による伐採が主体の作業のため、地中に「根」が残ることによって再び雑草が生育、繁茂するという悪循環を繰り返している。
除草作業が必要な理由の一つに「構造物の維持」が挙げられる。除草を疎かにすることによって小さな草から徐々に大きな木々が育つ環境へと変化していき、やがては構造物本来の役割を果たせなくなるほどの破壊が進む（植物の成長に伴い舗装が壊されていくなどの被害が生じる）。これを防止するために毎年の除草作業が欠かせないのである。除草作業が「維持業務」を呼ばれる由縁である。
なお、インターロッキングブロック等の隙間に生育する雑草の除去が必要な理由は「景観の維持」である。これも「維持業務」の一つである。
また、「除草」のもう一つの大きな役割が「交通事故の防止」である。歩道や中央分離帯に繁茂する雑草は運転者の視界を遮り、対向車や歩行者等の発見を遅らせるなどの重大な事故を誘発する危険性をはらんでいる。交通事故を未然に防止する観点からも除草作業は非常に大切な役割を果たしているのである。
【０００３】
しかしながら、維持業務の内容は草刈機を用いた「除草（伐採）」であり、「伐根」に至っていないために毎年同じ場所に植物が生育し、毎年同じ区間を繰り返し刈り取らなければならないという不経済な悪循環に陥っている。したがって、行政、特に地方自治体では、永年に亘り草の生えてこない何らかの方法の出現が切望されていた。
【０００４】
これに対して、道路や歩道の縁石の周辺や側溝などに生えている雑草を高圧洗浄機で除在した後に、コンプレッサーで固化剤入りの乾燥した砂を詰め、水を散布して固める方法が開示されている（例えば、特許文献１参照）。
【先行技術文献】
【特許文献】
【０００５】
【特許文献１】特開２００３−３２８３３３号公報
【発明の概要】
【発明が解決しようとする課題】
【０００６】
しかしながら、特許文献１に記載の方法では、雑草を除在した後に固化剤入りの乾燥した砂を詰め、水を散布して固めるだけのものであるので、脆弱で直ぐに雑草が生育してしまうといった問題がある。
特に、経年変化によるアスファルトの歪みやコンクリート構造物の収縮による歪み、地盤沈下、外的要因による欠損、あるいは、通行車両に起因する轍（わだち）の発生によって、歪みが生じた場合には、固化剤入りの乾燥した砂を詰めて固めただけのものでは簡単に崩れ、そこに雑草が直ぐに生育してしまう。よって、長期に亘る耐久性を期待することはできない。
すなわち、固化剤により硬化したものは変位に脆弱であり、充填した材料自体も歪み、ひび割れる可能性がある。また、アスファルトなどは熱によって変形、変位し易い（柔らかくなる）という特徴を持っているので、年月を経ることにより徐々に変形し、その歪み（すき間）が大きくなることは容易に想像できることである。そうしたことを想定すると、充填材（素材）はある程度の可塑性があった方が望ましいことが解る。
したがって、「すき間を埋めてしまえばよい」、「硬ければ良い」、「硬くすれば良い」という発想は誤りである。
なお、特許文献１には、「固化剤入りの乾燥した砂」とはどのようなものであるか具体的に記載されていない。
【０００７】
そこで、本発明の目的とするところは、長期間にわたって無用植物の除草及び生育防止を図ることである。
【課題を解決するための手段】
【０００８】
上記の目的を達成するために、本発明は、路上のすき間（１００）に生育する無用植物の除草及び生育防止であって、
高圧洗浄機（１０）を用いて前記すき間（１００）を洗浄することによって無用植物及びそこに堆積している土砂を洗い出して前記すき間（１００）を露出させた後、露出したすき間にペースト状のコーキング材（２０）を充填することを特徴とする。
【０００９】
また、本発明は、前記コーキング材（２０）を充填する際、前記すき間（１００）の上部入口（１００ａ）から前記コーキング材（２０）を充填しない空間領域（Ｒ）を設けたことを特徴とする。
【００１０】
また、本発明は、前記コーキング材（２０）を充填しない領域（Ｒ）を、前記すき間（１００）の上部入口（１００ａ）から１０ｍｍ以下で設けたことを特徴とする。
【００１１】
また、本発明は、前記すき間（１００）に充填されたコーキング材（２０）の表面に熱，紫外線及び乾燥による前記コーキング材（２０）の劣化を低減する塗膜（３０）を形成したことを特徴とする。
【００１２】
なお、上記括弧内の記号は、図面および後述する発明を実施するための形態に掲載された対応要素または対応事項を示す。
【発明の効果】
【００１３】
本発明によれば、高圧洗浄機を用いてすき間を洗浄することによって無用植物及びそこに堆積している土砂を洗い出すものであるので、短時間にしかも簡単に無用植物を根っ子から除去し、すき間を綺麗にして露出させる。
そして、露出したすき間にペースト状のコーキング材を充填するので粘着性，柔軟性に富み、従来例で示したように固化剤入りの乾燥した砂によって単純にすき間を押し固めるものと違って、経時的にすき間に歪みなど変位が生じた場合であっても追従することができる。
よって、長期間にわたって無用植物の除草及び生育防止を図ることができる。
【００１４】
また、本発明によれば、コーキング材を充填する際、すき間の上部入口からコーキング材を充填しない領域を、例えば１０ｍｍ以下で敢えて設けるようにしたので、経時的にその領域に砂や埃などの砂塵が浸入、堆積して「土壌化」し、そこに種子が混在すると発芽、成長して雑草となる。
しかしながら、厚さ１０ｍｍ程度の土壌に育成する植物はほぼ低草類に限定されるので、敢えて土壌を形成させることにより、その土壌が直射日光を遮り、紫外線や熱からコーキング材を保護してくれるといった格別な効果が得られる。
このように、敢えて土壌を形成させるように、コーキング材を充填する際、すき間の上部入口からコーキング材を充填しない領域を設けるといった発想は極めて斬新で従来存するものではない。
【００１５】
本発明によれば、すき間に充填されたコーキング材の表面に熱，紫外線及び乾燥によるコーキング材の劣化を低減する塗膜を形成したので、さらに長期に亘る耐久性を一層得ることができる。
【００１６】
なお、本発明の無用植物の除草及び生育防止方法のように、高圧洗浄機を用いてすき間を洗浄することによって無用植物及びそこに堆積している土砂を洗い出した後に、露出したすき間にペースト状のコーキング材を充填する点は、上述した特許文献１には全く記載されていない。
【図面の簡単な説明】
【００１７】
【図１】本発明の実施形態に係る無用植物の除草及び生育防止方法の工程を示す断面図である。
【図２】本実施形態に係る無用植物の除草及び生育防止方法を施した後の様子を例示した断面図である。
【発明を実施するための形態】
【００１８】
図面を参照して、本発明の実施形態に係る無用植物の除草及び生育防止方法について説明する。
【００１９】
本発明の実施形態に係る無用植物の除草及び生育防止方法は、高圧洗浄工程と、コーキング充填工程と、塗膜形成工程からなり、この順序で実施する。なお、塗膜形成工程については省略することもできる。
【００２０】
（１）高圧洗浄工程
高圧洗浄工程では、図１（ａ）に示すように、高圧洗浄機１０を用いて路上のすき間１００を洗浄することによってすき間１００に生育している雑草などの無用植物を根元から除去するとともに、そこに堆積している土砂を洗い出してすき間１００を露出させる。
ここでいうすき間１００とは、例えば、アスファルト舗装された道路（歩道を含む）と歩車道境界ブロック等のコンクリート二次製品とのすき間、或いは敷き詰められたブロック等の目地、平面に打設されたコンクリート表面のひび割れ、コンクリート舗装の打継ぎ目、路肩などに発生するものなどを表している。
【００２１】
ここで、使用する高圧洗浄機１０は、一般家庭で洗車用等に使用される程度の圧力があれば十分に使用可能である。舗装表面を穿つ必要は無いので超高圧なものは不要である。
高圧洗浄機１０の筒先はすき間１００に向けられ、そこに生育する雑草のほか、堆積した砂や埃などが土壌化したものを洗い出し、洗い流す。なお、時折、「砂利（小石）」が挟まっていることもあるが、除去が困難なようであれば放置しておいても構わない。
家庭用高圧洗浄機１０の取扱いは非常に簡単であり、近くに家庭用電源があれば延長コードと水槽（水タンク）、洗浄機本体だけで除草が行える。また、家庭用電源が確保出来ない場合は発電機等を使用すれば良い。除草対象延長（距離）が長い場合は、自動車などにこれら一式を積み込んで現地に赴く。この場合、設備一式を積んだまま移動ができるので便利である。
【００２２】
（２）コーキング充填工程
コーキング充填工程では、図１（ｂ）に示すように、（従来例で示したような）固化剤入りの砂を使用することなく、高圧洗浄機１０を使用することによって露出したすき間１００にペースト状のコーキング材２０を充填する。
コーキング材２０を充填する際、すき間１００の上部入口１００ａからコーキング材２０を充填しない空間領域Ｒを設けた。本実施形態では、そのコーキング材２０を充填しない領域Ｒを、すき間１００の上部入口１００ａから１０ｍｍ以下の範囲で設けるようにした（本実施形態では、図１（ｂ）に示すように、１０ｍｍとした）。
【００２３】
コーキング材２０としては、「セメダイン（登録商標）  ＰＭ１６５−Ｒ」（製品名）を選定した。これは、「シーリング材」とも呼ばれ、サイディングの目地やタイル等のひび割れの修復などで使用される一般的なものであり、気密性、防水性の高い材料であり弾力性も持ち合わせている。なお、その接着効果は約１０年間とされており、使用するコーキング材料の種類やその使用場所等によって耐用年数が変わる。
【００２４】
また、コーキング材２０を充填しない領域Ｒを、すき間１００の上部入口１００ａから１０ｍｍ以下で設けることで敢えて土壌を形成させるようにしている。すなわち、すき間１００に、砂や埃などの砂塵が浸入、堆積して「土壌化」し、そこに種子が混在すると発芽、成長して雑草となる。
しかしながら、図２に示すように、厚さ１０ｍｍ程度の土壌に育成する植物はほぼ低草類に限定されるので、敢えて土壌を形成させることにより、その土壌が直射日光を遮り、紫外線や熱からコーキング材２０を保護してくれるといった作用がある。
【００２５】
植物の背の高さ（大きさ）は根を伸ばす方向とその太さ、長さに密接に関係している。例えば、背の高い雑草としてよく知られている、セイタカアワダチソウ，ヒメジョオン，よもぎなどは、太くて長い根を垂直方向に深くしっかりと伸ばし、その根を以って地上部分にある茎や葉を支えている。これを逆手に取ると、根の伸長を妨害すればそうした背の高い植物はその環境下では育ち難くなることが解る。
一方、厚さ１０ｍｍ程度の土壌に適応する植物は、概して細くて髭のような根を水平方向に広げて育つことが多い。そうした植物の背は低く、地を這うように葉を広げる傾向にある。
植物の根の深さ（大きさ）と背の高さ（大きさ）は概ね比例関係にあるので、今回目安とした１０ｍｍよりも更に浅い５ｍｍなどに深さを設定してやるとその分だけ堆積土量が減少し、植物の育成土壌としての環境がさらに不十分となり、必然的に小さな植物しかそこでは生育できないことになる。
基本的に、雑草を皆無とするのは非常に困難であり、そこに「生えて良いもの」と「生えて欲しくないもの」のすみ分けを考えるのが防草に対する正しい理解であると考えたものである。雑草を無くしたところで次にはコケなど、その環境に適した植物は必ず生えて来る。
【００２６】
（３）  塗膜形成工程
塗膜形成工程では、図１（ｃ）に示すように、すき間１００に充填されたコーキング材２０の表面に熱，紫外線及び乾燥によるコーキング材２０の劣化を低減する塗膜３０を形成する。
これによって、長期に亘る耐久性を一層得ることができる。
【００２７】
次に、実証実験をした結果を示す。
実証実験では、先ずは軽トラックなどの車両を用意し、そこに発電機（公道上では家庭用電源の確保は殆ど不可能なため）、高圧洗浄機１０（製品名：ＲＹＯＢＩ  高圧洗浄機  ＡＪＰ−２１００ＧＱ）、水タンクのほか、コーキングに必要な各種用具及びホウキなどの一般的な掃除用具を積載する。
そして、アスファルト舗装とコンクリート舗装との境界に出来たすき間１００に育成した雑草を高圧洗浄機１０によって根元から取り除いた後、露出したすき間１００をコーキングした。
高圧洗浄機１０による除草では、雑草の根を切断することもなく、非常にきれいな状態で根元から雑草を取り除くことが出来た。洗浄（洗掘）によって路上に露わになった雑草は根の端部に至るまできれいに洗われた状態になっていた。
また、草刈機による除草と違い、周辺への草等の飛散も殆どなく、後の清掃も非常に短時間で終えることが出来た。
これにより、高圧洗浄機１０による除草は、伐根及び堆積した土壌を取り除くことを可能とする大変有効な手段であることが証明された。
実証実験を行ったのは幅（間隔）が５ｍｍから２ｃｍ程度のすき間１００であったが、高圧洗浄機１０の使用による洗掘作業により、その全体像を鮮明にすることが出来た。
【００２８】
また、すき間１００を埋めるコーキング作業では「カートリッジガン」を使用した。すき間１００の深部にも届くよう、出来るだけ先端を鋭くして使用したが、重要なポイントは、アスファルトとコーキング、コンクリートの三者を密着させることであった。すき間１００の最深部にまでコーキングを施す必要はないが、コーキング材２０の両側にある接着対象物との間にすき間を作らないようにしなければならない。
【００２９】
なお、施工部分では梅雨を含む夏季３か月間を経過した時点で雑草の育成は見られなかった。その効果は十分に認められたといえる。同様に、比較として、高圧洗浄機１０による雑草の除去のみを行ってコーキング材２０を充填しなかった施工部分では新たな土壌が形成され、そこには雑草が生えているのが確認された。
また、熱や紫外線等によるコーキングの劣化は認められていない。但し、これに関しては経年観察が必要であり、実際には数年後を待たなければ明確な回答は得られない。しかしながら、劣化等の異常を発見した場合、すき間１００の上部から１０ｍｍをコーキングしていないことによって、その上から新たなコーキングを施すことが可能であり、上塗りの余地がある。通常、コーキングの上塗りには５ｍｍ程度の厚みを必要とするので、それだけの空間が予め十分に確保されており、そうした意味では雑草の育成防止効果を更に上積み（延長）できるというメリットがあると結論づけることができる。
【００３０】
また、コーキングを施さない深さ１０ｍｍ程度の部分には砂塵等が堆積し、土壌化することを想定していたが、実際にそこに堆積していたのは砂であった。これは、土壌を形成するために必要な土量、厚みが無いために、いわゆる「圧密」が行われず、土等が締め固まることがなかったことに起因するとともに、風雨によって細かい土粒子や植物の種子が飛散、流出し、比重の重い砂粒だけがそこに残ったものと考えられる。しかしながら、砂粒だけであっても直射日光を遮ることは出来るので、紫外線や熱などからコーキングを保護することは十分に可能である。
【００３１】
なお、コーキング材を充填しない空間領域Ｒの深さを１０ｍｍとしたが、この深さが例えば、２０ｍｍないし２５ｍｍ、それ以上になると、そこに浸入、堆積したものは間違いなく土壌と化し、雑草の発芽を許すであろうことを容易に想像できる。１０ｍｍ程度の浅い溝であるからこそ、風雨の影響によって堆積物が飛散、流出を繰り返し、防草に関しては非常に有効的である。
また、コーキング上の堆積物が砂であることにより、劣化状況の確認やコーキングの上塗りの際には高圧洗浄機１０を使用することなく、ホウキで掃き清めることによってその部分を露出させることが出来る。これも非常に大きな効果である。
このように、本実施形態によれば、一度施工した場所では以後数年間に亘り除草が必要なくなるので経済的である。
【符号の説明】
【００３２】
１０      高圧洗浄機
２０      コーキング材
３０      塗膜
１００      すき間
１００ａ    すき間の上部入口
Ｒ      コーキング材を充填しない空間領域
【図１】
2019052504.tif 000003
【図２】
2019052504.tif 000004
【手続補正書】
【提出日】平成30年10月6日(2018.10.6)
【手続補正１】
【補正対象書類名】特許請求の範囲
【補正対象項目名】全文
【補正方法】変更
【補正の内容】
【特許請求の範囲】
【請求項１】
路上のすき間に生育する無用植物の除草及び生育防止方法であって、
高圧洗浄機を用いて前記すき間を洗浄することによって無用植物及びそこに堆積している土砂を洗い出して前記すき間を露出させた後、露出したすき間にペースト状のコーキング材を充填するもので、前記コーキング材を充填する際、前記すき間の上部入口から前記コーキング材を充填しない領域を、前記すき間の上部入口から１０ｍｍ以下で設けて、前記すき間に敢えて土壌を形成してそこに植物を育成させることにより直射日光を遮り、紫外線や熱から前記コーキング材を保護するようにしたことを特徴とする無用植物の除草及び生育防止方法。
【請求項２】
前記コーキング材を充填しない領域を、前記すき間の上部入口から５ｍｍから１０ｍｍ以下で設けたことを特徴とする請求項１に記載の無用植物の除草及び生育防止方法。
【手続補正２】
【補正対象書類名】明細書
【補正対象項目名】０００８
【補正方法】変更
【補正の内容】
【０００８】
上記の目的を達成するために、本発明は、路上のすき間（１００）に生育する無用植物の除草及び生育防止方法であって、
高圧洗浄機（１０）を用いて前記すき間（１００）を洗浄することによって無用植物及びそこに堆積している土砂を洗い出して前記すき間（１００）を露出させた後、露出したすき間にペースト状のコーキング材（２０）を充填するもので、前記コーキング材（２０）を充填する際、前記すき間（１００）の上部入口（１００ａ）から前記コーキング材（２０）を充填しない領域（Ｒ）を、前記すき間（１００）の上部入口（１００ａ）から１０ｍｍ以下で設けて、前記すき間（１００）に敢えて土壌を形成してそこに植物を育成させることにより直射日光を遮り、紫外線や熱から前記コーキング材（２０）を保護するようにしたことを特徴とする。
【手続補正３】
【補正対象書類名】明細書
【補正対象項目名】０００９
【補正方法】変更
【補正の内容】
【０００９】
また、本発明は、前記コーキング材（２０）を充填しない領域（Ｒ）を、前記すき間（１００）の上部入口（１００ａ）から５ｍｍから１０ｍｍ以下で設けたことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１５
【補正方法】削除
【補正の内容】